(57)【要約】【課題】この発明の課題は、注油タンクを刈取部に設置するにあたり、注油タンクを運転操作部から直視できる位置に設定し、しかも、この人為的注油操作手段を運転操作部から手の届く範囲内に配置することにより、タンク内の潤滑油の残量状態が容易に確認でき、人為的注油操作を容易にして操作性の向上を図ることにある。【解決手段】本発明は、潤滑油を貯溜する注油タンクとこの注油タンクから各注油箇所に潤滑油を送給する注油操作手段を刈取部の運転操作部側近くにあって、該運転操作部から操作できる位置に設ける一方、該注油タンクを運転操作部からよく見える位置に設定してあることを特徴とする。【選択図】        図３
2004201581.tif 000002
【特許請求の範囲】
【請求項１】
潤滑油を貯溜する注油タンクとこの注油タンクから各注油箇所に潤滑油を送給する注油操作手段を刈取部の運転操作部側近くにあって、該運転操作部から操作できる位置に設ける一方、該注油タンクを運転操作部からよく見える位置に設定してあることを特徴とするコンバイン。
【請求項２】
前記注油タンクから各部の注油箇所に配策する注油ホ−スを刈取部の刈取伝動ケ−スに設けるにあたり、該刈取伝動ケ−スを接続するフランジ部に取付穴を設け、この取付穴に注油ホ−スを挿通して配策する構成としてあることを特徴とする請求項１に記載のコンバイン。
【発明の詳細な説明】
【０００１】
【発明の属する技術分野】
本発明は、刈取部で穀稈を刈り取り、脱穀部で穀稈を脱穀するコンバインにあって、特に、刈取部の各注油箇所に潤滑油を供給するための潤滑油供給装置に関し、農業機械の技術分野に属する。
【０００２】
【従来の技術】
従来、刈取部において、バリカン型刈刃の横外側方に注油ノズルを設け、注油タンクからの潤滑油をポンプの駆動により注油ノズルに向けて加圧供給する給油装置を設けた構成のものがある（例えば、特許文献１参照。）。
【０００３】
【特許文献１】
特開平８−１５４４６２号公報
【０００４】
【発明が解決しようとする課題】
このものでは、注油ノズルは特定位置に設定されているが、注油タンクはその設置場所が特定されていないため、潤滑油の残量状態が運転操作部から見知できず、潤滑油が切れた状態であるのに給油しているものとしてそのまま作業を続けることがよくあった。
【０００５】
この発明の課題は、注油タンクを刈取部に設置するにあたり、注油タンクを運転操作部から直視できる位置に設定し、しかも、この人為的注油操作手段を運転操作部から手の届く範囲内に配置することにより、タンク内の潤滑油の残量状態が容易に確認でき、人為的注油操作を容易にして操作性の向上を図ることにある。この目的達成のため、本発明は次のような技術的手段を講じた。
【０００６】
【課題を解決するための手段】
すなわち、上記課題解決のために、請求項１に記載した本発明は、潤滑油を貯溜する注油タンクとこの注油タンクから各注油箇所に潤滑油を送給する注油操作手段を刈取部の運転操作部側近くにあって、該運転操作部から操作できる位置に設ける一方、該注油タンクを運転操作部からよく見える位置に設定してあることを特徴とする。
【０００７】
注油ポンプを注油操作ハンドルによって押圧操作すると、この注油ポンプにより注油タンク内の潤滑油がホ−ス内を通じて加圧送給され刈取部の各注油箇所へ的確に注油されることになる。この時、注油ポンプの操作ハンドルは運転操作部から手の届く範囲内にあり、注油ポンプの操作が容易にできる。また、注油タンクは運転操作部から直視できる位置に設定してあるので、潤滑油の残量状態を容易に見知することができる。
【０００８】
請求項２に記載した発明は、前記請求項１において、前記注油タンクから各部の注油箇所に配策する注油ホ−スを刈取部の刈取伝動ケ−スに設けるにあたり、該刈取伝動ケ−スを接続するフランジ部に取付穴を設け、この取付穴に注油ホ−スを挿通して配策する構成としてあることを特徴とする。
【０００９】
注油ホ−スは、刈取伝動ケ−スを接続するフランジ部に設けた取付穴に挿通して配策してあるので、クランプを不要にしてホ−スのたくれを確実に防止することができ、ハ−ネスバンドも大幅に削減することができる。
【００１０】
【発明の効果】
請求項１に記載の発明によれば、注油タンクと注油操作手段を刈取部の運転操作部側近くにあって、運転操作部からよく見える位置で且つ該運転操作部から操作できる位置に設定してあるので、注油タンクの潤滑油残量状態を容易に確認することができ無注油を防止できる。しかも、運転操作部からの注油操作も容易にできて操作性の向上を図ることができる。
【００１１】
請求項２に記載の発明によれば、請求項１の発明による効果を奏するものでありながら、特に、注油ホ−スは刈取伝動ケ−スを接続するフランジ部に設けた取付穴に挿通して配策するようにしてあるので、クランプを不要にしながらホ−ス自体のたくれを確実に防止でき、しかも、ハ−ネスバンドも大幅に削減することができる。
【００１２】
【発明の実施の形態】
まず、１実施態様としてコンバインの構成例について説明する。
走行車体１は、接地部側に走行クロ−ラ２、２を有し、上部には脱穀フイ−ドチエン３を有する脱穀装置４を搭載している。そして、走行車体１の前方には、穀稈を引起し刈取って前記脱穀装置４に搬送供給する刈取部５を昇降可能に装備している。この刈取部５は、圃場に植立する穀稈を左右に分草する分草体６、分草後の穀稈を株元側から穂先側に作用させて引起す引起し装置７、引起し後の穀稈を刈り取るバリカン式刈刃装置８、刈取後の穀稈を後方に掻込搬送する掻込搬送装置９、掻込搬送後の穀稈を引き継いで揚上搬送して前記脱穀装置４の脱穀フイ−ドチエン３に受渡し供給する引継ぎ搬送装置１０等からなり、車体１に対し横方向に架設された横軸部（刈取入力軸）１１を支点として上下回動する刈取支持フレ−ム１２によって支持され、油圧により伸縮する刈取昇降シリンダ−１３によって昇降する構成としている。
【００１３】
刈取部５の横側部には運転席１４及び操作ボックス１５等からなる運転操作部１６が設置され、この運転操作部１６の後方で脱穀装置４の横側部にはグレンタンク１７が搭載されている。
前記引起し装置７は、実施例が３条刈用コンバインであるため、３条の穀稈を引き起す左引起し装置７Ｌ、中引起し装置７Ｃ、右引起し装置７Ｒからなるように配置され、刈刃装置８の後方に横架された刈取伝動ケ−ス１８内の伝動軸１８ａから左引起し伝動パイプ１９、中引起し伝動パイプ２０、右引起し伝動パイプ２１内の各引起し伝動軸１９ａ，２０ａ，２１ａを介して回転駆動する構成である。そして、右引起し装置７Ｒは運転操作部１６の操作ボックス１５の前側正面位置に配置された形になっている。
【００１４】
潤滑油を貯溜する注油タンク２２は、右引起し装置７Ｒの背部位置で右引起し伝動パイプ２１に対し取付ステ−２３を介して着脱自在に取付ている。また、この注油タンク２２は、運転席１４の前方下方にあって運転者の着座位置からよく見える位置に配置され、タンク内の潤滑油残量状態がよく判るようになっている。
【００１５】
注油ポンプＰ及びこれを吸圧操作する注油操作ハンドル２４は、前記右引起し装置７Ｒの背部位置において、各引起し装置の上部を連結支持する引起し支持フレ−ム２５に対し保持プレ−ト２６を介して装着支持するように構成している。そして、少なくとも、注油ポンプＰの操作ハンドル２４は、運転操作部１６の運転位置から容易に操作することのできる位置、つまり、運転者の充分手の届く範囲内近くに配置してある。
【００１６】
運転操作部１６から操作ハンドル２４を握って上下に揺動操作すると、注油ポンプＰの作動により、注油タンク２２内の潤滑油が吸油ホ−ス２７を介してポンプＰ内に吸い込まれ、そして、該ポンプＰ内から注油ホ−ス２８を通じて注油ノズル２９に向けて加圧供給される。注油ノズル２９から噴出される潤滑油は、引起し装置７や刈刃装置８等への各注油箇所に注油されることになる。
【００１７】
注油タンク２２は、運転位置から前方正面においてよく見える位置にあるので、潤滑油の残量状態を容易に確認することができ、少量になった場合には前もって補給することができる。
また、図５〜図７に示すように、前記注油ホ−ス２８を刈取部の刈取伝動ケ−ス１８に設けるにあたり、分割された刈取伝動ケ−ス１８の接続用フランジ部３０，３０…の膨出部分３０ａに取付穴３１を設け、この取付穴３１に前記注油ホ−ス２８を挿通して配策する構成としている。かかる構成によれば、注油ホ−スを取付保持するためのクランプが不要となり、ハ−ネスバンド３２も大幅に削減することができる。
【００１８】
なお、各注油ホ−ス２８の分岐部はＴ型ジョイント３３を介して接続連結する構成としている。
また、注油ホ−スの取付手段として、図８（イ）に示すように、刈取伝動ケ−ス１８の外面に凹溝３４を設け、そして、この凹溝３４内に注油ホ−ス２８を凹入させるようにしハ−ネスバンド３２にて外側から締付固定するように構成してもよい。更に、図８（ロ）に示すように、ケ−ス１８の外面に凹溝３４を形成すべくリブ３５，３５を突設し、このリブ３５，３５間における溝３４内に前記注油ホ−ス２８を凹入させ、外側からハ−ネスバンド３２にて締付固定する構成とすることもできる。なお、このリブ出しによりケ−ス自体の強度アップを図ることができる。
【００１９】
図９及び図１０に示す実施例は、注油ホ−スの刈取伝動ケ−ス１８に対する配策に代えて、この注油ホ−スを引起し上部の引起し支持フレ−ム２５内を通して配策する構成としている。つまり、引起し支持フレ−ム２５を中空パイプで構成し、このパイプ内に注油ホ−ス２８を挿通するようにし、そして、これより各引起し装置７Ｌ，７Ｃ，７Ｒ、バリカン式刈刃装置８、掻込搬送装置９及び引継ぎ搬送装置１０等への各注油箇所へ配策するように構成するものである。なお、引起し支持フレ−ム２５は、Ｔ型ジョイント３３を挿入するため、途中部から分割式とすると共に着脱自在に構成している。
【００２０】
また、この引起し支持フレ−ム２５は、図１１〜図１３の別実施例で示すように、引起し装置７の上端部より上方に高く突設され、かつ、ア−チ状に構成されるが、該引起し支持フレ−ムの少なくとも運転操作部１６側角部を大きな湾曲状部２５Ｒに形成し、かつ、その上端側を前方傾斜（傾斜角θ）姿勢に屈曲形成しておくと、運転位置より前方下方への視界が良くなり、引起し刈取状況が容易に確認でき、しかも、刈取部５を大きく上昇させても操作部への干渉を回避することができる。
【００２１】
図１４〜図１５に示す実施例について説明する。
刈取部５の右側（運転操作部１６側）にあって右側分草体６Ｒの前側には分草角変更可能な中割分草ガイド４０を設けている。この中割分草ガイド４０は、縦軸４１周りに回動自在で分草角即ち外側方への張出し角を任意に変更調節できる構成であり、そして、運転操作部１６側から操作レバ−４２によって遠隔操作できる構成としている。つまり、操作レバ−４２によりワイヤ−４３を引っ張り操作すると、中割分草ガイド４０がスプリング４４に抗して外側方へ張り出すようになっている。この中割分草ガイド４０の分草角調整は、中割作業時における未刈側穀稈の植立姿勢状況によって変更調整するものである。
【００２２】
図１６及び図１７に示す実施例は、分草角変更調整手段として電動モ−タを利用したものである。つまり、中割分草ガイド４０は、リンク４５によって縦軸４１周りに揺動自在に連結してあり、リンク４５は、電動モ−タ４６によって正逆転する螺旋軸４７の伸縮移動により往復動する構成である。電動モ−タ４６はスイッチ４８の左右切替操作により正逆転駆動する構成としている。
【００２３】
また、図１８に示すように、中割分草ガイド４０を正面視で菱形形状とすることにより、左右の上部傾斜面４０ａ，４０ｂに凭れかかる穀稈を左右の刈取導入経路側と未刈稈側とに振り分けながら案内落下させることができる。
図１９及び図２０に示す実施例について説明する。
【００２４】
左右の中割分草ガイド４０Ｌ，４０Ｒのうち、左側分草ガイド４０Ｌのみを縦軸４１に対して分草角変更自在に枢着して設け、引起し装置７の前面傾斜方向に沿うように前方に向けて突設した引起しガイド杆５０を、引起し支持フレ−ム２５の基端部２５ａと前記中割分草ガイド４０Ｌの縦軸４１を回動軸芯として分草角変更自在に構成すると共に、該引起しガイド杆５０と中割分草ガイド４０Ｌを連動連結し、操作ハンドル５１の操作で、中割分草ガイド４０Ｌの分草角と引起しガイド杆５０の分草角とが連動して変更できる構成としている。従って、かかる構成によれば、中割作業時には穀稈の倒伏度合などによって両者の分草角を適宜に変更調整することで、穀稈の分草引起しガイドをスム−スに行わせることができる。
【図面の簡単な説明】
【図１】本発明の実施例であって、コンバインの側面図である。
【図２】本発明の実施例であって、コンバインの平面図である。
【図３】本発明の実施例であって、コンバインの正面図である。
【図４】本発明の実施例であって、同上要部の斜視図である。
【図５】本発明の実施例であって、刈取部要部の側面図である。
【図６】本発明の実施例であって、同上要部の側断面図である。
【図７】本発明の実施例であって、刈取部の要部の背面図である。
【図８】本発明の別実施例であって、要部の断面図である。
【図９】本発明の別実施例であって、刈取部の要部の正面図である。
【図10】本発明の別実施例であって、同上要部の側面図である。
【図11】本発明の別実施例であって、コンバインの概略正面図である。
【図12】本発明の別実施例であって、同上要部の側面図である。
【図13】本発明の別実施例であって、同上要部の側面図である。
【図14】本発明の別実施例であって、コンバイン要部の正面図である。
【図15】本発明の別実施例であって、同上要部の側面図である。
【図16】本発明の別実施例であって、コンバイン要部の側面図である。
【図17】本発明の別実施例であって、同上要部の平面図である。
【図18】本発明の別実施例であって、コンバイン要部の正面図である。
【図19】本発明の別実施例であって、コンバイン要部の正面図である。
【図20】本発明の別実施例であって、同上要部の側面図である。
【符号の説明】
１    走行車体                      ２    走行クロ−ラ
３    脱穀フイ−ドチエン            ４    脱穀装置
５    刈取部                        ６    分草体
７    引起し装置                    ８    刈刃装置
９    掻込搬送装置                １０    引継搬送装置
１２    刈取支持フレ−ム            １４    運転席
１５    操作ボックス                １６    運転操作部
１８    刈取伝動ケ−ス              ２１    右引起し伝動パオプ
２２    注油タンク                    Ｐ    注油ポンプ
２３    取付ステ−                  ２４    注油操作ハンドル
２５    引起し支持フレ−ム          ２６    保持プレ−ト
２７    吸油ホ−ス                  ２８    注油ホ−ス
２９    注油ノズル                  ３０    フランジ部
３１    取付穴
【図１】
2004201581.tif 000003
【図２】
2004201581.tif 000004
【図３】
2004201581.tif 000005
【図４】
2004201581.tif 000006
【図５】
2004201581.tif 000007
【図６】
2004201581.tif 000008
【図７】
2004201581.tif 000009
【図８】
2004201581.tif 000010
【図９】
2004201581.tif 000011
【図１０】
2004201581.tif 000012
【図１１】
2004201581.tif 000013
【図１２】
2004201581.tif 000014
【図１３】
2004201581.tif 000015
【図１４】
2004201581.tif 000016
【図１５】
2004201581.tif 000017
【図１６】
2004201581.tif 000018
【図１７】
2004201581.tif 000019
【図１８】
2004201581.tif 000020
【図１９】
2004201581.tif 000021
【図２０】
2004201581.tif 000022